【手続補正書】
【提出日】平成18年1月25日(2006.1.25)
【手続補正１】
【補正対象書類名】明細書
【補正対象項目名】特許請求の範囲
【補正方法】変更
【補正の内容】
【特許請求の範囲】
【請求項１】
一般式
【化１】
2002506069.tif 000001
｛式中、
Ｈｅｔは環成員として少なくとも１個の窒素を有する５- 又は６- 員の芳香族ヘテロ環状環であって、そしてこれは場合によりＣ1-6 アルキル、Ｃ1-6 アルコキシ、Ｃ1-6 アルキルチオ及びヒドロキシより成る群から選ばれた置換基１個又はそれ以上によって置換されており、
ｎは０又は１であり、
ＧはＮ，Ｃ又はＣＨであり、ＧがＣである場合、点線は結合を示し、そしてＧがＣＨ又はＮである場合、点線は結合を意味しない、
Ａｒは場合によりハロゲン、Ｃ1-6 アルキル、Ｃ1-6 アルコキシ、ヒドロキシ、トリフルオロメチル及びシアノより成る群から独立して選ばれた置換基１個又はそれ以上によって置換されフェニルであるか又は
Ａｒは２−チエニル、３−チエニル、２−フラニル、３−フラニル、２−チアゾリル、２−オキサゾリル、２−イミダゾリル、２−ピリジル、３−ピリジル又は４−ピリジルであり、
Ｒ2 、Ｒ3 、Ｒ4 及びＲ5 は相互に独立して水素、Ｃ1-6 アルキル、Ｃ1-6 アルコキシ、ヒドロキシ、ハロゲン、トリフルオロメチル、ニトロ、シアノ、アミノ、Ｃ1-6 アルキルアミノ及びＣ1-6 ジアルキルアミノより成る群から独立して選ばれ；
Ｒ6 は水素、Ｃ3-8 シクロアルキル、Ｃ3-8 シクロアルキル- Ｃ1-6 アルキル、Ｃ1-6 アルキル又はＣ2-6 アルケニル────これらは場合によりヒドロキシ基１又は２個によって置換されていて、存在するヒドロキシ基は２〜２４個の炭素原子を有する脂肪族カルボン酸で場合によりエステル化されている────であるか又は
Ｒ6 は式ＩＩ又はＩＩＩ
【化２】
2002506069.tif 000002
［式中、ｍは２〜６の整数であり、
ＷはＯ又はＳであり、
ＵはＮ又はＣＨであり、
Ｚは式-(ＣＨ2 ）p - （式中、ｐは２又は３である。）であるか又はＺは- ＣＨ= ＣＨ- 又は場合によりハロゲン又はトリフルオロメチルによって置換された1,2-フェニレンであるか又はＺは- ＣＯＣＨ2 - 又は- ＣＳＣＨ2 - であり、
ＶはＯ、Ｓ、ＣＨ2 又はＮＲ9 （Ｒ9 は水素、場合によりヒドロキシ基１又は２個によって置換されたＣ1-6 アルキル又はＣ2-6 アルケニル、又はＣ3-8 シクロアルキル、Ｃ3-8 シクロアルキル- Ｃ1-6 アルキル基であり、
ＸはＮ、Ｃ又はＣＨであり、
ＹはＮ、Ｃ又はＣＨであり、
但し、この際Ｘ及びＹのうちの少なくとも１個はＮであり、
Ｒ7 は水素又はＣ1-6 アルキルである。］
の基である。｝
で表わされる化合物又はその薬学的に容認された酸付加塩。
【請求項２】
Ｈｅｔが1-アルキル- テトラゾール-5- イル、2-アルキル- テトラゾール-5- イル、1-アルキル-1,2,3- トリアゾール-5- イル又は2-アルキル-1,2,3- トリアゾール-5- イルである、請求項１記載の化合物。
【請求項３】
１-[2-[4-[5-(2- メチルテトラゾール-5- イル)-1-(4- ピペリジル）-1H-インドール-3- イル]-1,2,3,6-テトラヒドロ-1- ピリジニル] エチル]-2-イミダゾリジノン；
１-[2-[4-[5-(2- メチルテトラゾール-5- イル)-1-(4- ピペリジル）-1H-インドール-3- イル]-1-ピペリジニル] エチル]-2-イミダゾリジノン；
１-[2-[4-[5-( テトラゾール-5- イル)-1-(4- フルオロフェニル）-1H-インドール-3- イル]-1-ピペリジニル] エチル]-2-イミダゾリジノン；
１-[2-[4-[1-(4- フルオロフェニル）-5- （2-メチルテトラゾール-5- イル)-1H- インドール-3- イル] ピペリジン-1- イル] エチル]-2-イミダゾリジノン；
１-(4-フルオロフェニル）-5- （2-メチルテトラゾール-5- イル)-3-[1-[2-(2- メチルテトラゾール-5- イル) エチル]-1,2,3,6-テトラヒドロピリジン-4- イル]-1-1H- インドール；
１-(4-フルオロフェニル）-5- （2-メチルテトラゾール-5- イル)-3-[1-[2-(1- メチルテトラゾール-5- イル) エチル]-1,2,3,6-テトラヒドロピリジン-4- イル]-1-1H- インドール；
5-[1-(4-フルオロフェニル）-3-(1-メチル-1,2,3,6- テトラヒドロピリジン-4- イル）-5- （2-メチルテトラゾール-5- イル)-1-1H- インドール；
１-[2-[4-[1-(4- フルオロフェニル）-5-(2-メチルテトラゾール-5- イル)-1H- インドール-3- イル]-1,2,3,6-テトラヒドロピリジン-1- イル] エチル]-2-イミダゾリジノン；
１-[2-[4-[1-(4- フルオロフェニル）-5-(1-メチルテトラゾール-5- イル)-1H- インドール-3- イル]-1,2,3,6-テトラヒドロピリジン-1- イル] エチル]-2-イミダゾリジノン；
１-[2-[4-[5-(2- エチルテトラゾール-5- イル)-1-(4- フルオロフェニル）-1H-インドール-3- イル]-1,2,3,6-テトラヒドロピリジン-1- イル] エチル]-2-イミダゾリジノン；
１-[2-[4-[1-(4- フルオロフェニル）-5-[(1- メチルテトラゾール-5- イル) メチル]-1H- インドール-3- イル]-1,2,3,6-テトラヒドロピリジン-1- イル] エチル]-2-イミダゾリジノン；
１-[2-[4-[1-(4- フルオロフェニル）-5-[(2- メチルテトラゾール-5- イル) メチル]-1H- インドール-3- イル]-1,2,3,6-テトラヒドロピリジン-1- イル] エチル]-2-イミダゾリジノン；
１-[2-[4-[1-(4- フルオロフェニル）-5-(1-メチルトリアゾール-4- イル)-1H- インドール-3- イル]-1,2,3,6-テトラヒドロピリジン-1- イル] エチル]-2-イミダゾリジノン；
１-[2-[4-[1-(4- フルオロフェニル）-5-(2-メチルトリアゾール-4- イル)-1H- インドール-3- イル]-1,2,3,6-テトラヒドロピリジン-1- イル] エチル]-2-イミダゾリジノン；
１-[2-[4-[5-(2- エチルトリアゾール-4- イル)-1-(4- フルオロフェニル）-1H-インドール-3- イル]-1,2,3,6-テトラヒドロピリジン-1- イル] エチル]-2-イミダゾリジノン；
１-[2-[4-[5-(2- エチルテトラゾール-5- イル)-1-(4- フルオロフェニル）-1H-インドール-3- イル]-1-ピペリジニル] エチル]-2-イミダゾリジノン；
1-(4- フルオロフェニル）-3- （1-メチル-4- ピペリジニル）-5-(2-メチルテトラゾール-5- イル)-1H- インドール；
１-[2-[4-[1-(4- フルオロフェニル）-5-[(1- メチルテトラゾール-5- イル) メチル]-1H- インドール-3- イル]-1-ピペリジニル] エチル]-2-イミダゾリジノン；
１-[2-[4-[1-(4- フルオロフェニル）-5-[(2- メチルテトラゾール-5- イル) メチル]-1H- インドール-3- イル]-1-ピペリジニル] エチル]-2-イミダゾリジノン；
１-[2-[4-[1-(4- フルオロフェニル）-5-[(1- メチルトリアゾール-4- イル)-1H- インドール-3- イル]-1-ピペリジニル] エチル]-2-イミダゾリジノン；
１-[2-[4-[1-(4- フルオロフェニル）-5-[(2- メチルトリアゾール-4- イル)-1H- インドール-3- イル]-1-ピペリジニル] エチル]-2-イミダゾリジノン；
１-[2-[4-[5-(1- エチルトリアゾール-4- イル)-1-(4- フルオロフェニル）-1H-インドール-3- イル]-1-ピペリジニル] エチル]-2-イミダゾリジノン；及び
１-[2-[4-[5-(2- エチルトリアゾール-4- イル)-1-(4- フルオロフェニル）-1H-インドール-3- イル]-1-ピペリジニル] エチル]-2-イミダゾリジノン；
又はその酸付加塩である、請求の範囲１記載の化合物。
【請求項４】
放射能標識されている、請求項１又は２記載の化合物。
【請求項５】
［11Ｃ］- メチルで放射能標識されている、請求項４記載の化合物。
【請求項６】
請求項１又は２記載の化合物又はその薬学的に容認された酸付加塩少なくとも１種及び場合により第二の薬学的有効成分を薬学的に容認されたキャリヤー又は希釈剤１種又はそれ以上と共に含有する薬学的調製物。      
【請求項７】
α1 - アドレノセプターの拮抗作用に応答する障害又は疾病の治療用薬剤の製造に、請求項１又は２記載の化合物又はその酸付加塩及び場合により第二の薬学的有効成分を使用する方法。
【請求項８】
精神病の治療用薬剤の製造に、請求項１又は２記載の化合物又はその酸付加塩及び必要に応じて抗精神活性を有する第二の剤を使用する方法。
【請求項９】請求項１又は２記載の化合物又はその酸付加塩及び場合により第二の薬学的有効成分を哺乳類に投与することを特徴とする、哺乳類におけるα1 - アドレノセプターの拮抗作用に応答する障害又は疾病を治療する方法。
【請求項１０】請求項１又は２記載の化合物又はその酸付加塩及び必要に応じて抗精神活性を有する第二の剤を哺乳類に投与することを特徴とする、哺乳類における精神病の治療方法。    
【請求項１１】放射能標識された式Ｉの化合物の製造に請求項１又は２記載の化合物又はその酸付加塩を使用する方法。